(57)【要約】【課題】騒音を低減させ、かつ、機械室の上壁の強度を低下させることなくエンジンを冷却するための気流を確保することが可能な建設機械を提供すること。【解決手段】建設機械であって、アッパーフレームと、動力源と、機械室（３０）とを備え、機械室（３０）は、吸気口（３２ａ）を有する吸気側壁（３２）と、内側排気口（３４ａ）を有する内側排気側壁（３４）と、外側排気口（３６ａ）を有する外側排気側壁（３６）と、上壁（３８）と、吸気流路を形成する吸気ダクト（５０）と、内側排気流路を形成する内側排気ダクト（６１）と、外側排気流路を形成する外側排気ダクト（６３）と、吸気ダクト（５０）内に設けられた吸気ダクト用吸音材（７０）と、各排気ダクト（６１，６３）内に設けられた排気ダクト用吸音材（８０）とを有し、各排気口（３４ａ，３６ａ）の少なくとも一部は、吸気口（３２ａ）よりも高い位置にあること。【選択図】図３
2014172444.tif 000002
【特許請求の範囲】
【請求項１】
建設機械であって、
旋回可能なアッパーフレームと、
前記アッパーフレーム上に配置された動力源と、
一方向に長い形状を有するとともに前記動力源を収容する機械室と、を備え、
前記機械室は、
当該機械室内に前記動力源を冷却する空気を吸い込むための吸気口を有しており当該機械室の長手方向の一方側に位置する吸気側壁と、
前記アッパーフレームの中央寄りに設けられており、当該機械室の外に空気を排出するための内側排気口を有して前記長手方向に長い形状の内側排気側壁と、
前記アッパーフレームの外縁寄りに設けられており、当該機械室の外に空気を排出するための外側排気口を有して前記長手方向に長い形状の外側排気側壁と、
前記吸気側壁、前記内側排気側壁及び前記外側排気側壁の上端に接続された上壁と、
前記吸気側壁、前記内側排気側壁、前記外側排気側壁及び前記上壁で囲まれる空間内に向けて前記吸気口から空気を導く吸気流路を形成する吸気ダクトと、
前記空間内の空気を前記内側排気口へ導く内側排気流路を形成する内側排気ダクトと、
前記空間内の空気を前記外側排気口へ導く外側排気流路を形成する外側排気ダクトと、
前記吸気ダクト内に設けられた吸気ダクト用吸音材と、
前記内側排気ダクト内に設けられた内側排気ダクト用吸音材と、
前記外側排気ダクト内に設けられた外側排気ダクト用吸音材と、を有し、
前記内側排気口の少なくとも一部及び前記外側排気口の少なくとも一部は、前記吸気口よりも高い位置にある建設機械。
【請求項２】
請求項１に記載の建設機械において、
前記内側排気口の下端及び前記外側排気口の下端は、前記吸気口の上端よりも高い位置にある建設機械。
【請求項３】
請求項１又は２に記載の建設機械において、
前記内側排気口は、前記内側排気側壁の長手方向に長い形状を有し、
前記外側排気口は、前記外側排気側壁の長手方向に長い形状を有する建設機械。
【請求項４】
請求項２に記載の建設機械において、
前記上壁の一部と前記内側排気ダクトの上部及び前記外側排気ダクトの上部とが共通となるように構成されている建設機械。
【請求項５】
請求項４に記載の建設機械において、
前記機械室は、前記上壁の内面に取り付けられており前記上壁を補強する上壁補強部材をさらに有し、
前記内側排気ダクトは、前記内側排気流路の側部に配置された内側側板を有し、
前記外側排気ダクトは、前記外側排気流路の側部に配置された外側側板を有し、
前記内側側板及び前記外側側板は、前記上壁補強部材に固定されている建設機械。
【請求項６】
請求項５に記載の建設機械において、
前記機械室は、前記内側排気側壁の内面に取り付けられており当該内側排気側壁を補強する内側側壁補強部材と、前記外側排気側壁の内面に取り付けられており当該外側排気側壁を補強する外側側壁補強部材とをさらに有し、
前記内側側板は、前記内側側壁補強部材に固定されており、
前記外側側板は、前記外側側壁補強部材に固定されている建設機械。
【請求項７】
請求項３に記載の建設機械において、
前記内側排気口は、前記長手方向に沿って並ぶように設けられた複数の内側並設排気口を有し、
前記外側排気口は、前記長手方向に沿って並ぶように設けられた複数の外側並設排気口を有し、
前記内側排気ダクトは、各内側並設排気口に対応して前記内側排気側壁側に複数設けられており、
前記外側排気ダクトは、各外側並設排気口に対応して前記外側排気側壁側に複数設けられている建設機械。
【請求項８】
請求項１ないし７のいずれかに記載の建設機械において、
前記アッパーフレームは、前記内側排気側壁と対向しており前記作業アタッチメントを取り付けるための取付部を含み、
前記内側排気口の総面積は、前記外側排気口の総面積よりも小さい建設機械。
【請求項９】
請求項１ないし８のいずれかに記載の建設機械において、
前記機械室は、前記吸気ダクト内を仕切る複数の仕切板をさらに有し、
前記複数の仕切板は、前記吸気ダクト内のうちの前記吸気流路の上流側に配置された外側仕切板と、前記吸気ダクト内のうちの前記外側仕切板よりも前記吸気流路の下流側に配置された内側仕切板とを有し、
前記外側仕切板及び前記内側仕切板は、前記吸気流路を確保し、かつ、前記長手方向について前記機械室外から前記機械室内を見たときに互いに協働して前記吸気口を塞ぐ形状を有し、
前記吸気ダクト用吸音材は、前記複数の仕切板のうち少なくとも前記空間側を向く面に取り付けられている建設機械。
【請求項１０】
請求項９に記載の建設機械において、
前記外側仕切板は、前記長手方向に対して傾斜するとともに互いに平行な姿勢で配置された複数の外側傾斜板を有し、
前記内側仕切板は、前記長手方向に対して前記複数の外側傾斜板の傾斜方向と異なる方向に傾斜するとともに互いに平行な姿勢で前記吸気流路の下流側に前記複数の外側傾斜板から離れた状態で配置された複数の内側傾斜板を有し、
前記複数の内側傾斜板のそれぞれは、前記複数の外側傾斜板のうちの互いに隣接する外側傾斜板間から前記空間内へ吸い込まれる空気を当該内側傾斜板の両側に導く姿勢で配置されている建設機械。
【請求項１１】
請求項１０に記載の建設機械において、
前記アッパーフレームは、前記内側排気側壁と対向しており前記作業アタッチメントを取り付けるための取付部を含み、
前記機械室は、前記吸気ダクト内を仕切る複数の仕切板をさらに有し、
前記複数の仕切板は、前記吸気ダクト内のうちの前記吸気流路の上流側に配置された外側仕切板と、前記吸気ダクト内のうちの前記外側仕切板よりも前記吸気流路の下流側に配置された内側仕切板とを有し、
前記外側仕切板は、前記長手方向に対して傾斜するとともに互いに平行な姿勢で配置された複数の外側傾斜板を有し、
前記内側仕切板は、前記長手方向に対して前記複数の外側傾斜板の傾斜方向と異なる方向に傾斜するとともに互いに平行な姿勢で前記吸気流路の下流側に前記複数の外側傾斜板から離れた状態で配置された複数の内側傾斜板を有し、
前記複数の外側傾斜板及び前記複数の内側傾斜板は、前記吸気流路を確保し、かつ、前記長手方向について前記機械室外から前記機械室内を見たときに互いに協働して前記吸気口を塞ぐ形状を有し、
前記複数の外側傾斜板のそれぞれは、前記空間内から前記吸気口へ向かう音の指向性が前記吸気口に対して前記取付部側とは反対側に強くなるように前記長手方向に対して傾斜する姿勢で配置されており、
前記複数の内側傾斜板のそれぞれは、前記複数の外側傾斜板のうちの互いに隣接する外側傾斜板間から前記空間内へ吸い込まれる空気を当該内側傾斜板の両側に導く姿勢で配置されており、
前記吸気ダクト用吸音材は、前記複数の仕切板のうち少なくとも前記空間内側を向く面に取り付けられている建設機械。
【請求項１２】
請求項９に記載の建設機械において、
前記外側仕切板は、前記吸気側壁と平行となる姿勢で前記吸気口の略中央に配置され、かつ、前記吸気ダクト内の上端から下端に至るように延びる形状を有し、
前記内側仕切板は、前記吸気側壁と平行となる姿勢で前記吸気ダクトのうちの前記長手方向と直交する短手方向の一方側に接続され、かつ、前記吸気ダクト内の上端から下端に至るように延びる形状を有する第一仕切板と、この第一仕切板から離間するとともに前記吸気側壁と平行となる姿勢で前記吸気ダクトのうちの前記短手方向の他方側に接続され、かつ、前記吸気ダクト内の上端から下端に至るように延びる形状を有する第二仕切板と、前記吸気側壁と直交する姿勢で前記第一仕切板と前記第二仕切板との間に配置され、かつ、前記吸気流路の下流側に向かって延びるとともに前記吸気ダクト内の上端から下端に至るように延びる形状を有する第三仕切板とを有し、
前記吸気ダクト用吸音材は、前記外側仕切板の内面、前記第一仕切板の両面、前記第二仕切板の両面及び前記第三仕切板の両面に取り付けられている建設機械。
【請求項１３】
請求項１ないし１２のいずれかに記載の建設機械において、
前記動力源は、前記吸気ダクトのうちの前記吸気流路の下流側の端部と前記内側排気ダクト及び前記外側排気ダクトのうちの前記長手方向について前記吸気側壁と反対側の端部との間にその全体が収まるように配置されている建設機械。
【発明の詳細な説明】
【技術分野】
【０００１】
本発明は、移動式クレーン等の建設機械に関するものである。
【背景技術】
【０００２】
従来、エンジン等の動力源を用いた建設機械においては、当該エンジン等の冷却対策と、エンジンや冷却用のファン等から発生する騒音を低減させる騒音対策とがとられている。例えば、特許文献１には、アッパーフレームと、アッパーフレーム上に配置されたエンジン及びラジエータと、このエンジン及びラジエータを収容する機械室と、アッパーフレームに取り付けられた作業アタッチメントと、を備える建設機械が開示されている。前記機械室は、前記エンジン及びラジエータを冷却する空気を吸い込むための吸気口が形成された側壁と、前記機械室内から機械室外へ空気を排出するための排気口が形成された上壁と、前記吸気口から機械室内へ空気を導く吸気流路を取り囲む吸気ダクトとを有している。吸気ダクトの内面には、吸音材が取り付けられている。すなわち、特許文献１の建設機械では、吸気口から排気口へ向かう気流でエンジンやラジエータを冷却する冷却対策と、機械室内で発生した騒音を吸音材で吸収することにより当該騒音の機械室外への漏れを抑制する騒音対策とがとられている。
【先行技術文献】
【特許文献】
【０００３】
【特許文献１】特開２００３−０５６００４号公報
【発明の概要】
【発明が解決しようとする課題】
【０００４】
一般に、エンジンの冷却効率の観点から、機械室内を下方から上方に向かう気流を生じさせること、すなわち、特許文献１に見られるように、吸気口よりも上方に排気口が形成されること、より具体的には、排気口が上壁に形成されることが望ましい。また、前記気流の確保のため、前記排気口の面積はなるべく大きく設定されることが望ましい。
【０００５】
その一方で、機械室や作業アタッチメントを組み立てるときやメンテナンスするときには、機械室の上が作業者によって通路として利用される場合があり、この場合、機械室の上壁には、十分な強度が要求される。
【０００６】
ここで、上記特許文献１のように、上壁に排気口が形成されている機械室は、排気口の開口面積を増やすほど、上壁の強度が低下するという問題がある。そのため、前記気流を確保するために前記排気口の開口面積を増やすことが困難である。
【０００７】
本発明の目的は、騒音を低減させ、かつ、機械室の上壁の強度を低下させることなく動力源を冷却するための気流を確保することが可能な建設機械を提供することである。
【課題を解決するための手段】
【０００８】
前記課題を解決するための手段として、本発明は、建設機械であって、旋回可能なアッパーフレームと、前記アッパーフレーム上に配置された動力源と、一方向に長い形状を有するとともに前記動力源を収容する機械室と、を備え、前記機械室は、当該機械室内に前記動力源を冷却する空気を吸い込むための吸気口を有しており当該機械室の長手方向の一方側に位置する吸気側壁と、前記アッパーフレームの中央寄りに設けられており、当該機械室の外に空気を排出するための内側排気口を有して前記長手方向に長い形状の内側排気側壁と、前記アッパーフレームの外縁寄りに設けられており、当該機械室の外に空気を排出するための外側排気口を有して前記長手方向に長い形状の外側排気側壁と、前記吸気側壁、前記内側排気側壁及び前記外側排気側壁の上端に接続された上壁と、前記吸気側壁、前記内側排気側壁、前記外側排気側壁及び前記上壁で囲まれる空間内に向けて前記吸気口から空気を導く吸気流路を形成する吸気ダクトと、前記空間内の空気を前記内側排気口へ導く内側排気流路を形成する内側排気ダクトと、前記空間内の空気を前記外側排気口へ導く外側排気流路を形成する外側排気ダクトと、前記吸気ダクト内に設けられた吸気ダクト用吸音材と、前記内側排気ダクト内に設けられた内側排気ダクト用吸音材と、前記外側排気ダクト内に設けられた外側排気ダクト用吸音材と、を有し、前記内側排気口の少なくとも一部及び前記外側排気口の少なくとも一部は、前記吸気口よりも高い位置にある建設機械を提供する。
【０００９】
本発明によれば、前記吸気ダクト用吸音材及び前記各排気ダクト用吸音材の双方で前記動力源から発生する音が吸収され、かつ、前記上壁の強度を低下させることなく前記動力源の冷却に有効な気流、すなわち、前記機械室内を下方から上方に向かう気流が確保される。具体的には、前記動力源から発生する騒音は、前記吸気ダクト及び各排気ダクトを通過する際に吸音材に吸収されるので、前記吸気口及び各排気口を通じて機械室外へ漏れる騒音が効果的に低減される。そして、前記内側排気口の少なくとも一部及び前記外側排気口の少なくとも一部は、前記吸気口よりも高い位置にあるので、上壁の強度を低下させることなく前記吸気口から各排気口へ、すなわち、機械室内を下方から上方へ向かう気流が確保され、これにより前記動力源が効率よく冷却される。これにより、作業者がメンテナンス等の作業時に機械室の上壁の上を通路として利用することが可能となるので、作業効率が向上する。さらに、前記吸気口を通じて機械室内に取り込まれた空気は、前記内側排気口及び前記外側排気口を介して機械室外へ排出されるので、換言すれば、前記吸気口から前記内側排気口へ向かう気流及び前記吸気口から前記外側排気口へ向かう気流が生じるので、前記吸気口を通じて前記空間内に取り込まれた空気の当該空間内での滞留が抑制される。よって、動力源の冷却に必要な風量が十分に確保される。
【００１０】
具体的に、前記内側排気口の下端及び前記外側排気口の下端は、前記吸気口の上端よりも高い位置にあることが好ましい。
【００１１】
このようにすれば、各排気口は、その上下方向の全域にわたって吸気口よりも高いところに位置するので、機械室内を下方から上方に向かう気流がより生じやすく、これにより動力源が効率よく冷却される。また、前記機械室の下方には、下部走行体が配置される場合が多く、さらに、機械室の下方には地表面が存在することが多いが、前記各排気口の下端が前記吸気口の上端よりも高い位置に設けられているので、各排気口から機械室外に放射された騒音が各排気側壁と前記下部走行体や地表面等の反射物との間で多重反射することによる当該騒音の増大を抑制することができる。
【００１２】
また、本発明において、前記内側排気口は、前記内側排気側壁の長手方向に長い形状を有し、前記外側排気口は、前記外側排気側壁の長手方向に長い形状を有することが好ましい。
【００１３】
このようにすれば、各排気口を前記吸気口よりも高い位置に形成しながら前記長手方向に長い大きな開口面積が確保されることにより、前記空間内の空気が前記吸気口よりも高い位置にある各排気口から機械室外へ排出されやすくなるので、前記機械室内を下方から上方へ向かう気流がさらに生じやすくなり、機械室内の温度上昇を抑制することができる。
【００１４】
この場合において、前記上壁の一部と前記内側排気ダクトの上部及び前記外側排気ダクトの上部とが共通となるように構成されていることが好ましい。
【００１５】
このようにすれば、前記上壁を各排気ダクトの一部として利用することができるので、各排気ダクトの構造を簡素化することができる。
【００１６】
この場合において、前記機械室は、前記上壁の内面に取り付けられており前記上壁を補強する上壁補強部材をさらに有し、前記内側排気ダクトは、前記内側排気流路の側部に配置された内側側板を有し、前記外側排気ダクトは、前記外側排気流路の側部に配置された外側側板を有し、前記内側側板及び前記外側側板は、前記上壁補強部材に固定されていることが好ましい。
【００１７】
このようにすれば、前記上壁の補強と各排気ダクトの取付構造が簡素化との双方が達成される。すなわち、前記上壁補強部材は前記内側排気ダクト及び前記外側排気ダクトを固定可能であることから、上壁の内面に前記上壁補強部材が取り付けられることにより、前記上壁が補強され、かつ、前記吸気側壁、各排気側壁及び上壁で囲まれる空間内に各排気ダクトを固定するための専用の固定部を追加的に設けることが不要となる。
【００１８】
さらにこの場合において、前記機械室は、前記内側排気側壁の内面に取り付けられており当該内側排気側壁を補強する内側側壁補強部材と、前記外側排気側壁の内面に取り付けられており当該外側排気側壁を補強する外側側壁補強部材とをさらに有し、前記内側側板は、前記内側側壁補強部材に固定されており、前記外側側板は、前記外側側壁補強部材に固定されていることが好ましい。
【００１９】
このようにすれば、各排気側壁の補強と、各排気ダクトの取付強度の向上との双方を達成することができる。
【００２０】
また、本発明において、前記内側排気口は、前記長手方向に沿って並ぶように設けられた複数の内側並設排気口を有し、前記外側排気口は、前記長手方向に沿って並ぶように設けられた複数の外側並設排気口を有し、前記内側排気ダクトは、各内側並設排気口に対応して前記内側排気側壁側に複数設けられており、前記外側排気ダクトは、各外側並設排気口に対応して前記外側排気側壁側に複数設けられていることが好ましい。
【００２１】
このようにすれば、各排気側壁の長手方向に沿って複数の排気ダクトがそれぞれ形成されるので、各排気口から放射される騒音を排気ダクト用吸音材により効率的に吸収することができる。
【００２２】
この場合において、前記アッパーフレームは、前記内側排気側壁と対向しており前記作業アタッチメントを取り付けるための取付部を含み、前記内側排気口の総面積は、前記外側排気口の総面積よりも小さいことが好ましい。
【００２３】
このようにすれば、作業アタッチメントの取付部が前記排気側壁に隣接した位置に形成された場合であっても、動力源の冷却に有効な気流を確保しながら、音の多重反射に起因する騒音の増大を抑制することができる。一般的に、排気側壁に隣接した位置に取付部が形成された場合、その排気側壁に形成された排気口から機械室外へ放出された音は、当該排気側壁の外面と前記取付部との間で多重反射を繰り返すおそれがあり、これに起因する騒音の増大が懸念される。これに対し、本発明では、前記内側排気口の総面積が前記外側排気口のそれよりも小さいことから、前記内側排気口から機械室外へ放出される音が前記外側排気口から機械室外へ放出される音よりも小さくなり、前記取付部は、前記外側排気側壁ではなく前記内側排気側壁に対向した位置に形成されるので、前記内側排気側壁の外面と前記取付部との間で生じる音の多重反射及びこれに起因する騒音の増大が抑制される。
【００２４】
また、本発明において、前記機械室は、前記吸気ダクト内を仕切る複数の仕切板をさらに有し、前記複数の仕切板は、前記吸気ダクト内のうちの前記吸気流路の上流側に配置された外側仕切板と、前記吸気ダクト内のうちの前記外側仕切板よりも前記吸気流路の下流側に配置された内側仕切板とを有し、前記外側仕切板及び前記内側仕切板は、前記吸気流路を確保し、かつ、前記長手方向について前記機械室外から前記機械室内を見たときに互いに協働して前記吸気口を塞ぐ形状を有し、前記吸気ダクト用吸音材は、前記複数の仕切板のうち少なくとも前記空間側を向く面に取り付けられていることが好ましい。
【００２５】
このようにすれば、前記吸気流路を確保しながら、前記長手方向について前記機械室外から前記機械室内を見通されるのを防止でき、さらに、前記空間内から前記吸気口に向かう音を効率よく吸収することができる。
【００２６】
具体的に、前記外側仕切板は、前記長手方向に対して傾斜するとともに互いに平行な姿勢で配置された複数の外側傾斜板を有し、前記内側仕切板は、前記長手方向に対して前記複数の外側傾斜板の傾斜方向と異なる方向に傾斜するとともに互いに平行な姿勢で前記吸気流路の下流側に前記複数の外側傾斜板から離れた状態で配置された複数の内側傾斜板を有し、前記複数の内側傾斜板のそれぞれは、前記複数の外側傾斜板のうちの互いに隣接する外側傾斜板間から前記空間内へ吸い込まれる空気を当該内側傾斜板の両側に導く姿勢で配置されていることが好ましい。
【００２７】
このようにすれば、互いに隣接する外側傾斜板の間から吸い込まれた空気が内側傾斜板の両側を通って前記空間内に導かれるので、前記吸気口から前記空間内へ向かう気流の圧力損失が大きくなるのを有効に抑制しながら、前記空間内から前記吸気口へ向かう音を効率よく吸収することができる。
【００２８】
さらに、前記複数の外側傾斜板のそれぞれは、前記空間内から前記吸気口へ向かう音の指向性が前記吸気口に対して前記取付部側とは反対側に強くなるように前記長手方向に対して傾斜する姿勢で配置されていることが好ましい。
【００２９】
このようにすれば、前記吸気口から放出された音が前記取付部に反射することによる騒音の増大が抑制される。
【００３０】
また、前記外側仕切板は、前記吸気側壁と平行となる姿勢で前記吸気口の略中央に配置され、かつ、前記吸気ダクト内の上端から下端に至るように延びる形状を有し、前記内側仕切板は、前記吸気側壁と平行となる姿勢で前記吸気ダクトのうちの前記長手方向と直交する短手方向の一方側に接続され、かつ、前記吸気ダクト内の上端から下端に至るように延びる形状を有する第一仕切板と、この第一仕切板から離間するとともに前記吸気側壁と平行となる姿勢で前記吸気ダクトのうちの前記短手方向の他方側に接続され、かつ、前記吸気ダクト内の上端から下端に至るように延びる形状を有する第二仕切板と、前記吸気側壁と直交する姿勢で前記第一仕切板と前記第二仕切板との間に配置され、かつ、前記吸気流路の下流側に向かって延びるとともに前記吸気ダクト内の上端から下端に至るように延びる形状を有する第三仕切板とを有し、前記吸気ダクト用吸音材は、前記外側仕切板の内面、前記第一仕切板の両面、前記第二仕切板の両面及び前記第三仕切板の両面に取り付けられていてもよい。
【００３１】
このようにしても、前記吸気口から前記空間内へ向かう気流の圧力損失が大きくなるのを有効に抑制しながら、前記空間内から前記吸気口へ向かう音を効率よく吸収することができる。具体的には、前記空間内から前記第一仕切板と前記外側仕切板との間、及び前記第二仕切板と前記外側仕切板との間に至った音を前記第三仕切板の両面に取り付けられた吸気ダクト用吸音材が吸収するので、前記吸気口から機械室外へ漏れる騒音が抑制される。
【００３２】
また、本発明において、前記動力源は、前記吸気ダクトのうちの前記吸気流路の下流側の端部と前記内側排気ダクト及び前記外側排気ダクトのうちの前記長手方向について前記吸気側壁と反対側の端部との間にその全体が収まるように配置されていることが好ましい。
【００３３】
このようにすれば、前記吸気口から各排気口へ向かう気流によって前記動力源が効果的に冷却される。
【発明の効果】
【００３４】
以上のように、本発明によれば、騒音を低減させ、かつ、上壁の強度を低下させることなく動力源を冷却するための気流の確保が可能な建設機械を提供することができる。
【図面の簡単な説明】
【００３５】
【図１】本発明の第一実施形態の作業機械の側面図である。
【図２】図１に示す作業機械の作業アタッチメントが省略された状態の斜視図である。
【図３】図２に示す作業機械の機械室の斜視図である。
【図４】図３に示す機械室の吸気ダクトの断面平面図である。
【図５】図３に示す機械室内の概要を示す斜視図である。
【図６】図３に示す機械室の排気ダクト周辺の断面側面図である。
【図７】図３に示す機械室を側方から見た状態の概略図である。
【図８】本発明の第二実施形態の吸気ダクトの断面平面図である。
【発明を実施するための形態】
【００３６】
（第一実施形態）
本発明の第一実施形態の建設機械について、図１〜図７を参照しながら説明する。なお、本実施形態では、建設機械として移動式クレーンが示されている。以下、図１の右側を前、左側を後、紙面手前側を右、紙面奥側を左として説明する。
【００３７】
図１に示されるように、この建設機械は、左走行クローラ及び右走行クローラを有する下部走行体１０と、下部走行体１０上に当該下部走行体１０に対して旋回可能に設けられたアッパーフレーム１２と、アッパーフレーム１２上に設けられた動力源としてのエンジン１４（図７を参照）と、エンジン１４を収容するとともに一方向（前後方向）に長い形状の機械室３０と、アッパーフレーム１２上の中央部に装着された作業アタッチメントであるジブ１６と、ジブ１６を起伏させるための起伏装置１７と、下部走行体１０やジブ１６を操作するためのキャブ室１８と、アッパーフレーム１２上に設けられたカウンタウエイト２０とを備えている。
【００３８】
アッパーフレーム１２の中央部には、ジブ１６を取り付けるための取付部１２ａが形成されている。取付部１２ａは、左右方向と直交する板面を有しており、機械室３０（後述の内側排気側壁３４）と対向配置されている。
【００３９】
ジブ１６は、アッパーフレーム１２の左右方向の略中央に装着されている。ジブ１６の基端部は、アッパーフレーム１２に回動可能に支持されており、この基端部の回動によりジブ１６の先端が前記基端部を支点として上下方向に起伏する。ジブ１６の先端からは、主巻上ロープ１６ａを介して主フック１６ｂが吊下げられており、また、補巻上ロープ１６ｃを介して補フック１６ｄが吊下げられている。
【００４０】
起伏装置１７は、その基端部がアッパーフレーム１２に回動に支持された可能なマスト１７ａと、マスト１７ａの後方でアッパーフレーム１２上に立設されたガントリ１７ｂと、ジブ１６の先端とマスト１７ａの先端とを連結するガイライン１７ｃと、マスト１７ａの先端とガントリ１７ｂの先端との間に掛け渡された起伏ロープ１７ｄと、起伏ロープ１７ｄの巻き取り及び繰り出しを行うウインチ１７ｅとを含む。ウインチ１７ｅにより起伏ロープ１７ｄの巻き取り又は繰り出しが行われることにより、マスト１７ａが回動してジブ１６が起伏する。
【００４１】
キャブ室１８内には、下部走行体１０や作業アタッチメント１６等を操作するための操作部（図示略）が設けられている。キャブ室１８は、機械室３０の前方に配置されている。より具体的には、キャブ室１８は、図２に示されるように、機械室３０のうちの後述の右側機械室３０Ｒと前後方向に対向するように当該右側機械室３０Ｒの前方に配置されている。
【００４２】
機械室３０は、図２に示されるように、取付部１２ａを挟んで左右方向に並ぶように配置された右側機械室３０Ｒ及び左側機械室３０Ｌを有する。右側機械室３０Ｒ及び左側機械室３０Ｌは互いに同じ構造を有するので、以下、右側機械室３０Ｒを例に説明する。なお、右側機械室３０Ｒは、後述の吸気口３２ａが後方に位置する状態で配置されており、左側機械室３０Ｌは、吸気口３２ａが前方に位置する状態で配置されている。また、各機械室３０Ｒ，３０Ｌ内には、エンジン１４の他、図示略のラジエータや図示略のファンがそれぞれ収容されている。
【００４３】
図３に示されるように、右側機械室３０Ｒは、エンジン１４及び図示略のラジエータを冷却するための空気を吸い込むための吸気口３２ａを有する吸気側壁３２と、当該機械室外に空気を排出するための内側排気口３４ａを有する内側排気側壁３４と、当該機械室外に空気を排出するための外側排気口３６ａを有する外側排気側壁３６と、吸気側壁３２と対向する対向側壁３７と、各側壁の上端に接続された上壁３８と、各側壁の下端に接続された底壁（図示せず）と、上壁３８及び各排気側壁３４，３６の内面に取り付けられた補強フレーム４０（図５を参照）と、各側壁、上壁３８及び底壁で囲まれる空間内に吸気口３２ａから空気を導く吸気流路を形成する吸気ダクト５０と、前記空間内の空気を内側排気口３４ａへ導く内側排気流路を形成する内側排気ダクト６１と、前記空間内の空気を外側排気口３６ａへ導く外側排気流路を形成する外側排気ダクト６３と、吸気ダクト５０内に設けられた吸気ダクト用吸音材７０と、各排気ダクト６１，６３内に設けられた排気ダクト用吸音材８０と、吸気ダクト５０内を仕切る複数の仕切板９０とを有している。
【００４４】
吸気側壁３２は、左右方向と平行となる姿勢でカウンタウエイト２０と対向して配置されている。吸気側壁３２は、矩形状であり、吸気口３２ａは、吸気側壁３２の下部に形成されている。
【００４５】
内側排気側壁３４は、左右方向の内側（取付部１２ａ側）に配置されている。内側排気側壁３４は、前後方向と平行となる姿勢で配置されている。内側排気側壁３４は、前後方向に長い矩形状、すなわち、上下方向の寸法よりも前後方向の寸法の方が大きい矩形状を呈する。内側排気側壁３４は、内側排気口３４ａを有する。本実施形態では、内側排気口３４ａは、前後方向に沿って並ぶように設けられた二つの内側並設排気口３４ｂを有している。各内側並設排気口３４ｂの下端は、吸気口３２ａの上端よりも高い位置となるように設定されている。内側排気口３４ａは、前後方向に長い形状、すなわち、上下方向の寸法よりも前後方向の寸法の方が大きい形状を有する。ただし、この内側排気口３４ａは、上下方向に長い形状や、上下方向の寸法と前後方向の寸法とが同一の形状等であってもよい。この内側排気口３４ａの長手方向の中央は、内側排気側壁３４の長手方向の中央よりも前側（吸気側壁３２から遠い側）に位置している。
【００４６】
外側排気側壁３６は、左右方向の外側（アッパーフレーム１２の外縁側）に配置されている。外側排気側壁３６は、前後方向と平行となり、かつ、内側排気側壁３４と対向する姿勢で配置されている。外側排気側壁３６は、前後方向に長い矩形状、すなわち、上下方向の寸法よりも前後方向の寸法の方が大きい矩形状を呈する。外側排気側壁３６は、外側排気口３６ａを有する。本実施形態では、外側排気口３６ａは、前後方向に沿って並ぶように設けられた四つの外側並設排気口３６ｂを有している。各外側並設排気口３６ｂの下端は、吸気口３２ａの上端よりも高い位置となるように設定されている。より具体的には、各外側並設排気口３６ｂの下端は、各内側並設排気口３４ｂの下端と同じ高さに設定されている。外側排気口３６ａは、前後方向に長い形状、すなわち、上下方向の寸法よりも前後方向の寸法の方が大きい形状を有する。ただし、この外側排気口３６ａは、上下方向に長い形状や、上下方向の寸法と前後方向の寸法とが同一の形状等であってもよい。内側排気口３４ａの総面積（内側並設排気口３４ｂの開口面積の和）は、外側排気口３６ａの総面積（外側並設排気口３６ｂの開口面積の和）よりも小さくなるように設定されている。
【００４７】
なお、内側排気側壁３４の内側排気口３４ａ内及び外側排気側壁３６の外側排気口３６ａ外側には、雨等が前記空間内に至るのを抑制するルーバー（図示略）がそれぞれ取り付けられている。
【００４８】
対向側壁３７は、吸気側壁３２と平行となる姿勢でキャブ室１８の後面と対向して配置されている。
【００４９】
上壁３８は、各側壁３２，３４，３６，３７で囲まれる空間を上から塞ぐ形状を有する。上壁３８は、アッパーフレーム１２と平行となる姿勢で各側壁の上端に接続されている。この上壁３８の強度は、作業者が当該上壁３８の上に乗って作業アタッチメント１６のメンテナンス等の作業することが可能な程度に設定されている。
【００５０】
図５に示されるように、補強フレーム４０は、上壁３８の内面に取り付けられた上壁補強部材４２と、内側排気側壁３４の内面に取り付けられた内側側壁補強部材（図示略）と、外側排気側壁３６の内面に取り付けられた外側側壁補強部材４４とを有している。上壁補強部材４２は、前後方向の寸法よりも左右方向の寸法の方が長い形状を有する。具体的には、上壁補強部材４２は、上壁３８の右端から左端に至る長さを有する。内側側壁補強部材及び外側側壁補強部材４４は、前後方向の寸法よりも上下方向の寸法の方が長い形状を有する。具体的には、各側壁補強部材は、それぞれ各排気側壁３４，３６の上端から下端に至る長さを有する。各側壁補強部材の上端は、上壁補強部材４２の長手方向の端部とそれぞれ接続されている。本実施形態では、複数の補強フレーム４０が前後方向に等間隔に並ぶように配置されている。
【００５１】
吸気ダクト５０は、図３に示されるように、前後方向に開口する四角筒状を呈する。吸気ダクト５０の上流側の端部は、吸気側壁３２のうちの吸気口３２ａを取り囲む部位に接続されている。なお、吸気ダクト５０の下流側の端部と対向するように図示略のラジエータが配置されている。また、吸気ダクト５０内は、複数の仕切板９０で仕切られている。
【００５２】
図４は、吸気ダクト５０が水平方向に切断された状態の平面図である。この図４に示されるように、複数の仕切板９０は、吸気流路の上流側に配置された外側仕切板９２と、吸気流路の下流側に配置された内側仕切板９３とを有する。外側仕切板９２及び内側仕切板９３は、吸気流路を確保し、かつ、前記前後方向について右側機械室３０Ｒ外から当該右側機械室３０Ｒ内を見たときに互いに協働して吸気口３２ａを塞ぐ形状を有している。本実施形態では、外側仕切板９２は、吸気側壁３２と平行となる姿勢で左右方向について吸気口３２ａの略中央に配置されており、吸気ダクト５０内の上端から下端に至るように延びる形状を有している。内側仕切板９３は、吸気側壁３２と平行となる姿勢で吸気ダクト５０のうちの内側排気側壁３４側の内面に接続された第一仕切板９３ａと、吸気側壁３２と平行となる姿勢で吸気ダクト５０のうちの外側排気側壁３６側の内面に接続された第二仕切板９３ｂと、吸気側壁３２と直交する姿勢で第一仕切板９３ａと第二仕切板９３ｂとの間に配置された第三仕切板９３ｃとを有している。第一仕切板９３ａ、第二仕切板９３ｂ及び第三仕切板９３ｃは、互いに左右方向に離間して配置されている。第一仕切板９３ａ及び第二仕切板９３ｂは、ともに外側仕切板９２から吸気流路の下流側に離間した状態で吸気ダクト５０内に配置されており、吸気ダクト５０内の上端から下端に至るように延びる形状を有している。また、第一仕切板９３ａ及び第二仕切板９３ｂは、ともに前後方向についての外側仕切板９２からの距離が等しい位置に配置されている。第三仕切板９３ｃは、外側仕切板９２の左右方向の中央から前後方向について吸気流路の下流側に向かって延びるとともに吸気ダクト５０内の上端から下端に至るように延びる形状を有する。第三仕切板９３ｃは、外側仕切板９２の内面から吸気ダクト５０の下流側の端部に至る長さを有している。
【００５３】
吸気ダクト用吸音材７０は、吸気ダクト５０内に設けられている。吸気ダクト用吸音材７０は、例えばウレタンからなり、略直方体形状を呈する。吸気ダクト用吸音材７０は、複数の仕切板９０のうち少なくとも前記空間を向く面に取り付けられる。本実施形態では、吸気ダクト用吸音材７０は、外側仕切板９２の内面、第一仕切板９３ａの両面、第二仕切板９３ｂの両面、第三仕切板９３ｃの両面、吸気ダクト５０のうちの内側排気側壁３４側の内面、吸気ダクト５０のうちの外側排気側壁３６側の内面及び吸気ダクト５０のうちの上側の内面にそれぞれ取り付けられている。
【００５４】
図３に示されるように、内側排気ダクト６１は、各内側並設排気口３４ｂに対応するように内側排気側壁３４側に複数設けられており、外側排気ダクト６３は、各外側並設排気口３６ｂに対応するように外側排気側壁３６側に複数設けられている。各内側排気ダクト６１は、前記空間内の空気を内側並設排気口３４ｂへ導く内側排気流路を取り囲む形状を有し、各外側排気ダクト６３は、前記空間内の空気を外側並設排気口３６ｂへ導く外側排気流路を取り囲む形状を有する。各排気ダクト６１，６３の基本的な構造は共通しているので、以下、外側排気ダクト６３を例に説明する。
【００５５】
外側排気ダクト６３は、図３及び図５に示されるように、左右方向に開口する四角筒状を呈する。図５及び図６に示されるように、外側排気ダクト６３は、外側排気流路のうちの側部（前後方向に対向する部位）を覆う外側側板６４と、外側排気流路のうちの下部を覆う底板６６とを有する。外側排気流路のうちの上部は上壁３８に覆われている。すなわち、本実施形態では、上壁３８が外側排気ダクト６３の上部を構成している。ただし、上壁３８が外側排気ダクトの一部を兼ねる構成ではなく、上壁３８とは別に外側排気流路の上部を覆う天板が設けられてもよい。各側板６４の上端は、上壁補強部材４２に固定されている。各側板６４の下流側（外側排気口３６ａ側）の端部は、外側側壁補強部材４４に固定されていてもよい。なお、各側板６４の上端が上壁補強部材４２に固定されず、各側板６４の下流側の端部のみが外側側壁補強部材４４に固定されていてもよい。本実施形態では、複数の外側排気ダクト６３が前後方向に隣接するように並んでいる。なお、互いに隣接する位置の外側側板６４は、そのいずれか一方が省略されてもよいし、互いに前後方向に隣接していてもよい。
【００５６】
排気ダクト用吸音材８０は、外側排気ダクト６３内に設けられている。排気ダクト用吸音材８０は、例えばウレタンからなり、略直方体形状を呈する。本実施形態では、排気ダクト用吸音材８０は、各側板６４の内面及び上壁３８の内面にそれぞれ取り付けられている。なお、図５に示されるように、外側側板６４の外面及び底板６６の下面にも吸音材８２が取り付けられている。なお、各内側排気ダクト６１内にも排気ダクト用吸音材８０が設けられている。また、図３に示されるように、内側排気ダクト６１のうちの対向側壁３７に最も近い側の内側側板６４の吸気側壁３２からの距離は、外側排気ダクト６３のうちの対向側壁３７に最も近い側の外側側板６４の吸気側壁３２からの距離と等しくなるように設定されている。
【００５７】
図７に示されるように、エンジン１４は、吸気ダクト５０のうちの下流側の端部と各排気ダクト６１，６３のうちの前後方向について吸気側壁３２と反対側の端部（対向側壁３７に近い側の側板６４）との間にその全体が収まるように配置されている。
【００５８】
以上説明したように、本実施形態の建設機械によれば、吸気ダクト用吸音材７０及び各排気ダクト用吸音材８０の双方でエンジン１４から発生する音が吸収され、しかも、上壁３８の強度を低下させることなくエンジン１４の冷却に有効な気流、すなわち、機械室３０内を下方から上方に向かう気流が確保される。具体的には、内側排気口３４ａの少なくとも一部及び外側排気口３６ａの少なくとも一部は、吸気口３２ａよりも高い位置に形成されるので、上壁３８の強度を低下させることなく吸気口３２ａから各排気口３４ａ，３６ａへ、すなわち、機械室３０内を下方から上方へ向かう気流が確保され、これによりエンジン１４が効率よく冷却される。これにより、作業者による機械室３０の上壁３８の上でのメンテナンス等の作業が可能となるので、作業効率が向上する。さらに、吸気口３２ａを通じて機械室３０内に取り込まれた空気は、内側排気口３４ａ及び外側排気口３６ａを介して機械室３０外へ排出されるので、換言すれば、吸気口３２ａから内側排気口３４ａへ向かう気流及び吸気口３２ａから外側排気口３６ａへ向かう気流が生じるので、吸気口３２ａを通じて前記空間内に取り込まれた空気の当該空間内での滞留が抑制される。よって、エンジン１４の冷却に必要な風量が十分に確保される。
【００５９】
また、内側排気口３４ａの下端及び外側排気口３６ａの下端は、吸気口３２ａの上端よりも高くなるように設定されていることから、各排気口３４ａ，３６ａは、その上下方向の全域にわたって吸気口３２ａよりも高いところに位置するので、機械室３０内を下方から上方に向かう気流がより生じやすく、これによりエンジン１４が効率よく冷却される。また、機械室３０の下方には、下部走行体１０や、カーボディウェイトが配置されており、さらに、機械室３０の下方には地表面が存在する。各排気口３４ａ，３６ａの下端が吸気口３２ａの上端よりも高い位置に設けられているので、各排気口３４ａ，３６ａから機械室３０外に放射された騒音が各排気側壁３４，３６と下部走行体１０や地表面等の反射物との間で多重反射することによる当該騒音の増大を抑制することができる。
【００６０】
そして、各排気口３４ａ，３６ａは、各排気側壁３４，３６の長手方向に長い形状を有することから、各排気口３４ａ，３６ａを吸気口３２ａよりも高い位置に形成しながら前記長手方向に長い大きな開口面積が確保される。よって、前記空間内の空気が吸気口３２ａよりも高い位置にある各排気口３４ａ，３６ａから機械室３０外へ排出されやすくなるので、機械室３０内を下方から上方へ向かう気流がさらに生じやすくなり、機械室３０内の温度上昇を抑制することができる。
【００６１】
さらに、上壁３８は、各排気ダクト６１，６３のうちの各排気流路の上部を覆う部位を構成することから、当該上壁３８が各排気ダクト６１，６３の一部として利用することができるので、各排気ダクトの構造を簡素化することができる。
【００６２】
加えて、上壁３８の内面に取り付けられた上壁補強部材４２は、各排気ダクト６１，６３のそれぞれの側板６４を固定可能であることから、前記空間内に各排気ダクト６１，６３を固定するための専用の固定部を追加的に設けることが不要となる。すなわち、上壁３８の内面に上壁補強部材４２を取り付けることにより、上壁３８の補強を低下させないだけでなく、むしろその強度を補いながら各排気ダクト６１，６３の取付構造の簡素化が達成される。
【００６３】
さらに、各側壁補強部材は、各排気ダクト６１，６３の各側板６４を固定可能であることから、各排気側壁３４，３６の補強と、各排気ダクト６１，６３の取付強度の向上との双方を達成することができる。
【００６４】
また、内側排気口３４ａは、前後方向に沿って並ぶように設けられた複数の内側並設排気口３４ｂを有し、外側排気口３６ａは、前後方向に沿って並ぶように設けられた複数の外側並設排気口３６ｂを有し、内側排気ダクト６１は、各内側並設排気口３４ｂに対応して内側排気側壁３４側に複数設けられており、外側排気ダクト６３は、各外側並設排気口３６ｂに対応して外側排気側壁３６側に複数設けられていることから、各排気側壁３４，３６の長手方向に沿って複数の排気ダクトがそれぞれ形成されるので、各排気口３４ｂ，３６ｂから放射される騒音を排気ダクト用吸音材８０により効率的に吸収することができる。
【００６５】
さらに、内側排気口３４ａの総面積は、外側排気口３６ａの総面積よりも小さいため、作業アタッチメント１６の取付部１２ａが排気側壁に隣接する位置に装着された場合であっても、エンジン１４の冷却に有効な気流を確保しながら、音の多重反射に起因する騒音の増大を抑制することができる。一般的に、排気側壁に隣接した位置に取付部１２ａが形成された場合、その排気側壁に形成された排気口から機械室３０外へ放出された音は、当該排気側壁の外面と取付部１２ａとの間で多重反射を繰り返すおそれがあり、これに起因する騒音の増大が懸念される。これに対し、本実施形態では、内側排気口３４ａの総面積が外側排気口３６ａのそれよりも小さいことから、内側排気口３４ａから機械室３０外へ放出される音が外側排気口３６ａから機械室３０外へ放出される音よりも小さくなり、しかも、取付部１２ａは、外側排気側壁３６ではなく内側排気側壁３４に隣接した位置に形成されるので、内側排気側壁３４の外面と取付部１２ａとの間で生じる音の多重反射及びこれに起因する騒音の増大が抑制される。
【００６６】
また、複数の仕切板９０のうちの外側仕切板９２及び内側仕切板９３は、前記吸気流路を確保し、かつ、前記長手方向について機械室３０外から機械室３０内を見たときに互いに協働して吸気口３２ａを塞ぐ形状を有しており、吸気ダクト用吸音材７０は、複数の仕切板９０のうち少なくとも前記空間を向く面に取り付けられていることから、前記吸気流路が確保されながら、前記長手方向について機械室３０外から機械室３０内を見通されるのが防止され、さらに、前記空間内から吸気口３２ａに向かう音が効率よく吸収される。
【００６７】
具体的に、外側仕切板９２は、吸気側壁３２と平行となる姿勢で吸気口３２ａの略中央に配置され、かつ、吸気ダクト５０内の上端から下端に至るように延びる形状を有し、内側仕切板９３は、吸気側壁３２と平行となる姿勢で吸気ダクト５０のうちの内側排気側壁３４側に接続され、かつ、吸気ダクト５０内の上端から下端に至るように延びる形状を有する第一仕切板９３ａと、吸気側壁３２と平行となる姿勢で吸気ダクト５０のうちの外側排気側壁３６側に接続され、かつ、吸気ダクト５０内の上端から下端に至るように延びる形状を有する第二仕切板９３ｂと、吸気側壁３２と直交する姿勢で第一仕切板９３ａと第二仕切板９３ｂとの間に配置され、かつ、前記吸気流路の下流側に向かって延びるとともに吸気ダクト５０内の上端から下端に至るように延びる形状を有する第三仕切板９３ｃとを有している。これにより、外側仕切板９２及び第三仕切板９３ｃの左右方向の両側から前記空間内に至る流路が確保されることから、吸気口３２ａから前記空間内へ向かう気流の圧力損失が大きくなるのが有効に抑制される。また、吸気ダクト用吸音材７０は、外側仕切板９２の内面、第一仕切板９３ａの両面、第二仕切板９３ｂの両面及び第三仕切板９３ｃの両面に取り付けられていることから、前記空間内から吸気口３２ａへ向かう音が当該吸気ダクト用吸音材７０により効率よく吸収される。具体的には、前記空間内から第一仕切板９３ａと外側仕切板９２との間、及び第二仕切板９３ｂと外側仕切板９２との間に至った音を第三仕切板９３ｃの両面に取り付けられた吸気ダクト用吸音材７０が吸収するので、吸気口３２ａから機械室３０外へ漏れる騒音が抑制される。
【００６８】
そして、エンジン１４は、吸気ダクト５０のうちの下流側の端部と各排気ダクト６１，６３のうちの吸気側壁３２と反対側の側板６４との間にその全体が収まるように配置されていることから、吸気口３２ａから各排気口３４ａ，３６ａへ向かう気流によってエンジン１４が効果的に冷却される。
【００６９】
（第二実施形態）
本発明の第二実施形態について、図８を参照しながら説明する。なお、この第二実施形態では、第一実施形態と異なる部分についてのみ説明を行い、第一実施形態と同じ構造、作用及び効果の説明は省略する。
【００７０】
本実施形態の建設機械は、図８に示されるように、第一実施形態とは、主に機械室３０における複数の仕切板９０の形状及び配置が異なる。
【００７１】
具体的に、本実施形態の複数の仕切板９０は、外側仕切板９２として複数の外側傾斜板９５を有し、内側仕切板９３として複数の内側傾斜板９６を有する。複数の外側傾斜板９５及び複数の内側傾斜板９６は、前記吸気流路を確保し、かつ、前後方向について右側機械室３０Ｒ外から右側機械室３０Ｒ内を見たときに互いに協働して吸気口３２ａを塞ぐ形状を有している。
【００７２】
複数の外側傾斜板９５は、前後方向に対して傾斜するとともに互いに平行となる姿勢で吸気ダクト５０内に配置されている。複数の外側傾斜板９５は、左右方向に等間隔に並ぶように配置されている。本実施形態では、複数の外側傾斜板９５のそれぞれは、前記空間内から吸気口３２ａを介して右側機械室３０Ｒ外へ放出される音の指向性が吸気口３２ａに対して取付部１２ａ側とは反対側（左右方向の外側）に強くなるように前後方向に対して傾斜する姿勢で配置されている。具体的には、各外側傾斜板９５は、対向側壁３７から吸気側壁３２に向かう方向に対して左側（外側排気側壁３６側）に４５度傾斜している。複数の外側傾斜板９５のそれぞれは、吸気ダクト５０の上端から下端に至る形状を有している。
【００７３】
複数の内側傾斜板９６は、前後方向に対して各外側傾斜板９５の傾斜方向とは異なる方向に傾斜するとともに互いに平行となる姿勢で吸気ダクト５０内に配置されている。複数の内側傾斜板９６は、左右方向に等間隔に並ぶように配置されている。具体的には、複数の内側傾斜板９６のそれぞれは、各外側傾斜板９５と直交し、かつ、複数の外側傾斜板９５のうちの互いに隣接する外側傾斜板９５間から前記空間内へ吸い込まれる空気を当該内側傾斜板９６の両側に導く姿勢で配置されている。複数の内側傾斜板９６のそれぞれは、吸気ダクト５０の上端から下端に至る形状を有している。
【００７４】
吸気ダクト用吸音材７０は、複数の仕切板９０のうち少なくとも前記空間を向く面に取り付けられている。本実施形態では、吸気ダクト用吸音材７０は、複数の外側傾斜板９５及び複数の内側傾斜板９６のそれぞれの両面に取り付けられている。なお、複数の外側傾斜板９５のうち最も内側排気側壁３４に近い側の外側傾斜板９５については、当該外側傾斜板９５のうちの前記空間に面する側にのみ吸気ダクト用吸音材７０が取り付けられている。
【００７５】
以上説明したように、本実施形態では、外側仕切板９２として複数の外側傾斜板９５を有し、内側仕切板９３として複数の内側傾斜板９６を有し、複数の内側傾斜板９６のそれぞれは、複数の外側傾斜板９５のうちの互いに隣接する外側傾斜板９５間から前記空間内へ吸い込まれる空気を当該内側傾斜板９６の両側に導く姿勢で配置されているので、吸気口３２ａから前記空間内へ向かう気流の圧力損失が大きくなるのが有効に抑制される。
【００７６】
そして、吸気ダクト用吸音材７０は、複数の外側傾斜板９５及び複数の内側傾斜板９６のそれぞれの両面に取り付けられているので、前記空間内から吸気口３２ａへ向かう音が吸気ダクト用吸音材７０により効率よく吸収される。なお、本実施形態では、外側仕切板９２の内面及び内側仕切板９３の両面に吸気ダクト用吸音材７０が配置され、吸気ダクト５０の左右の各内面に前後方向と平行な姿勢で吸気ダクト用吸音材７０が配置され、そして、吸気ダクト５０の上側の内面に上壁３８と平行な姿勢で吸気ダクト用吸音材７０が配置されている第一実施形態に比べ、前記空間内から吸気口３２ａへ向かう音の吸収効率が高い。
【００７７】
さらに、複数の外側傾斜板９５のそれぞれは、前記空間内から吸気口３２ａへ向かう音の指向性が吸気口３２ａに対して取付部１２ａ側とは反対側に強くなるように前後方向に対して傾斜する姿勢で配置されているので、吸気口３２ａから放出された音が取付部１２ａに反射することによる騒音の増大が抑制される。
【００７８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７９】
例えば、上記実施形態では、内側排気口３４ａが複数の（二個の）内側並設排気口３４ｂを有し、外側排気口３６ａが複数の（四個の）外側並設排気口３６ｂを有する例が示されたが、内側排気口３４ａの開口面積が外側排気口３６ａのそれよりも小さく設定されるのであれば、内側排気口３４ａが単一の排気口とされ、同様に、外側排気口３６ａが単一の排気口とされてもよい。
【符号の説明】
【００８０】
１０    下部走行体
１２    アッパーフレーム
１２ａ  取付部
１４    エンジン（動力源）
１６    作業アタッチメント（ジブ）
１８    キャブ室
２０    カウンタウエイト
３０    機械室
３０Ｒ  右側機械室
３０Ｌ  左側機械室
３２    吸気側壁
３２ａ  吸気口
３４    内側排気側壁
３４ａ  内側排気口
３４ｂ  内側並設排気口
３６    外側排気側壁
３６ａ  外側排気口
３６ｂ  外側並設排気口
３８    上壁
４０    補強フレーム
４２    上壁補強部材
４４    外側側壁補強部材
５０    吸気ダクト
６１    内側排気ダクト
６３    外側排気ダクト
６４    側板
６６    底板
７０    吸気ダクト用吸音材
８０    排気ダクト用吸音材
９０    複数の仕切板
９２    外側仕切板
９３    内側仕切板
９３ａ  第一仕切板
９３ｂ  第二仕切板
９３ｃ  第三仕切板
９５    複数の外側傾斜板
９６    複数の内側傾斜板
【図１】
2014172444.tif 000003
【図２】
2014172444.tif 000004
【図３】
2014172444.tif 000005
【図４】
2014172444.tif 000006
【図５】
2014172444.tif 000007
【図６】
2014172444.tif 000008
【図７】
2014172444.tif 000009
【図８】
2014172444.tif 000010